(57)【特許請求の範囲】
【請求項１】
異なる区別番号が付された２本の道路間を接続する車路に設置され、前記区別番号と、区別番号変更指示情報とを含む第１配信情報を無線で送信する複数の第１の路側無線装置と、
前記区別番号が付された道路に設置され、コンテンツ情報と、前記第１配信情報に基づいて当該コンテンツ情報を実行させる実行条件情報とを含む第２配信情報を無線で送信する複数の第２の路側無線装置と、
前記第１の路側無線装置を介して前記第１配信情報を所定領域内に無線で送信させるとともに、前記第２の路側無線装置を介して前記第２配信情報を所定領域内に無線で送信させるセンター装置と、
前記第１の路側無線装置から送信される第１配信情報及び前記第２の路側無線装置から送信される第２配信情報を受信する通信手段、前記通信手段により受信された第１配信情報及び第２配信情報を記憶する記憶手段、前記コンテンツ情報に応じた動作を実行する実行手段、前記通信手段により受信された第２配信情報に含まれている実行条件情報に基づいて、当該第２配信情報に含まれているコンテンツ情報に応じた動作の実行の可否を判別し、当該判別の結果に応じて前記コンテンツ情報を前記実行手段に実行させる制御手段、を備えた車載器と、を含み、
前記区別番号は、次に通過する前記第２の路側無線装置が設置された道路を上りか下りか区別可能に識別するために予め設定された情報であり、
一の第１の路側無線装置から送信される前記区別番号変更指示情報は、前記記憶手段に記憶された区別番号が、前記一の第１の路側無線装置が設置された車路の前に走行した道路を示す第１の区別番号であった場合に、当該区別番号を、前記一の第１の路側無線装置の次に通過する第２の路側無線装置が設置された道路を示す第２の区別番号に変更して前記記憶手段に記憶させるための情報であり、
前記記憶手段は、前記記憶手段に記憶された区別番号と前記第１の区別番号とが一致する場合、前記記憶手段に記憶された区別番号を前記第２の区別番号に変更し、前記記憶手段に記憶された区別番号と前記第１の区別番号とが一致しない場合、前記記憶手段に記憶された区別番号を前記第２の区別番号に変更しないことを特徴とする情報配信システム。
【請求項２】
前記第２配信情報は、
前記区別番号を含み、
前記実行条件情報は、
前記第２配信情報に含まれている区別番号と、当該第２配信情報よりも前に前記記憶手段に記憶された第１配信情報に含まれている区別番号とが一致する場合、当該第２配信情報に含まれているコンテンツ情報を前記実行手段に実行させる情報であることを特徴とする請求項１に記載の情報配信システム。
【請求項３】
前記第１配信情報は、
当該第１配信情報に含まれる区別番号の有効期間を含み、
前記第２配信情報は、
前記区別番号を含み、
前記実行条件情報は、
前記第２配信情報に含まれている区別番号と、当該第２配信情報よりも前に前記記憶手段に記憶された第１配信情報に含まれている区別番号とが一致しており、かつ前記第１配信情報が前記記憶手段に記憶されてから前記有効期間を経過していない場合、前記第２配信情報に含まれているコンテンツ情報を前記実行手段に実行させる情報であり、
前記制御手段は、
前記第１配信情報が前記記憶手段に記憶されると、前記有効期間を計時することを特徴とする請求項１に記載の情報配信システム。
【請求項４】
異なる区別番号が付された２本の道路間を接続する車路に設置された複数の第１の路側無線装置から、前記区別番号と、区別番号変更指示情報とを含む第１配信情報を受信し、前記区別番号が付された道路に設置された複数の第２の路側無線装置から、コンテンツ情報と、前記第１配信情報に基づいて当該コンテンツ情報を実行させる実行条件情報とを含む第２配信情報を受信する通信手段と、
前記通信手段により受信された第１配信情報及び第２配信情報を記憶する記憶手段と、
前記コンテンツ情報に応じた動作を実行する実行手段と、
前記通信手段により受信された第２配信情報に含まれている実行条件情報に基づいて、当該第２配信情報に含まれているコンテンツ情報に応じた動作の実行の可否を判別し、当該判別の結果に応じて前記コンテンツ情報を前記実行手段に実行させる制御手段と、を備え、
一の第１の路側無線装置から送信される前記区別番号変更指示情報は、前記記憶手段に記憶された区別番号が、前記一の第１の路側無線装置が設置された車路の前に走行した道路を示す第１の区別番号であった場合に、当該区別番号を、前記一の第１の路側無線装置の次に通過する第２の路側無線装置が設置された道路を示す第２の区別番号に変更して前記記憶手段に記憶させるための情報であり、
前記記憶手段は、前記記憶手段に記憶された区別番号と前記第１の区別番号とが一致する場合、前記記憶手段に記憶された区別番号を前記第２の区別番号に変更し、前記記憶手段に記憶された区別番号と前記第１の区別番号とが一致しない場合、前記記憶手段に記憶された区別番号を前記第２の区別番号に変更しないことを特徴とする車載器。
【発明の詳細な説明】
【技術分野】
【０００１】
本発明は、情報配信システム、車載器に関する。
【背景技術】
【０００２】
ＧＰＳ（Global Positioning System）機能や地図を持たないＤＳＲＣ車載器（発話型車載器）は、車両の位置や進行方向を認識することができないため、対向車線に設置された路側無線装置からの漏洩電波や高速道路直下の一般道を走行中に上の高速道路に設置された路側無線装置からの漏洩電波を受信して、発話してしまうことがある。目的とする道路、車線だけで受信されるように路側無線装置のアンテナを設置できればよいが、道路の構造上そのような設置が困難であったり、可能であっても費用がかさんだりすることがある。
【０００３】
この問題を解決するため、例えば特許文献１では、道路に区別番号を付与し、走行中の道路の区別番号を車載器に記憶させ、発話データに対象となる道路の区別番号を含ませることで、対象となる道路を走行中の車載器のみが発話するように制御する技術が開示されている。
【０００４】
図１０は、一般道路（図示せず）の上に高架で建設された都市高速道路のジャンクションの一例について示した図である。
図１０の上部を左右に通過している車路が本線であり、上り線には区別番号１が、下り線には区別番号２が、それぞれ与えられている。上記した本線から図１０の下方へ伸びている車路が支線であり、上り線には区別番号３が、下り線には区別番号４が、それぞれ与えられている。
【０００５】
図１０に示すように、新たな区別番号を設定するためのデータを送信する路側無線装置は、Ａ〜Ｄの４箇所に設置されている。なお、各路側無線装置は、送信する電波が高速道路の他の車路や高速道の下を走る一般道へと漏洩しないように設置される。
路側無線装置からは、車載器に設定されている区別番号を再設定するための情報（以下設定情報）、又は／及びコンテンツとそのコンテンツを実行する対象となる車載器を指定するための区別番号やその他の実行条件等を含む情報（以下コンテンツ情報）、が送信される。
【０００６】
路側無線装置Ａは、高速道路の支線上りから本線下りへと向かう車路に設置されており、区別番号２を設定するための設定情報を含むデータを送信する。路側無線装置Ｂは、高速道路の本線上りから支線下りへと向かう車路に設置されており、区別番号４を設定するための設定情報を含むデータを送信する。路側無線装置Ｃは、高速道路の支線上りから本線上りへと向かう車路に設置されており、区別番号１を設定するための設定情報を含むデータを送信する。路側無線装置Ｄは、高速道路の本線下りから支線下りへと向かう車路に設置されており、区別番号４を設定するための設定情報を含むデータを送信する。なお、設定情報に含まれる有効期間は、無限大に設定されているものとする。
【０００７】
路側無線装置Ｅは、高速道路の本線下りの車路に設置されており、区別番号２が設定された車載器にコンテンツを実行させるための情報を含むコンテンツ情報を含んだデータを送信する。
例えば、高速道路の本線下りを走行中の車両に搭載された車載器には区別番号２が設定されており、路側無線装置Ｅからデータを受信すると、コンテンツを実行する。また、支線上りを走行中の車両に搭載された車載器には区別番号３が設定されているが、この車両が支線上りから本線下りへと向かう車路を走行すると、路側無線装置Ａから送信される区別番号２の設定情報を受信するため、車載器に設定される区別番号は３から２に変更される。つまり、この車両が路側無線装置Ｅの前を通過すると、路側無線装置Ｅから送信される区別番号２のコンテンツ情報を含むデータを受信し、コンテンツを実行する。
一方、高速道路の本線上りを走行中の車両に搭載された車載器には区別番号１が設定されており、路側無線装置Ｅから送信され本線上りに漏洩している電波ｆを受信したとしても区別番号が一致しないため、コンテンツは実行されない。
【０００８】
従って、例えば上り車線を走行中の車両に搭載された車載器が下り車線のコンテンツを実行する事態を防止でき、同様に下り車線を走行中の車両に搭載された車載器が上り車線のコンテンツを実行する事態も防止できるため、対向車線に設置された路側無線装置から送信されるデータを受信しても、対向車線のコンテンツを実行する事態を防止することが可能である。
【先行技術文献】
【特許文献】
【０００９】
【特許文献１】特開２００９−１５１６６２号公報
【発明の概要】
【発明が解決しようとする課題】
【００１０】
特許文献１に記載の技術では、車載器に区別番号を設定するためのデータを送信する路側無線装置を、他の車路に電波が漏洩しないように設置する必要がある。しかしながら、他の車路への電波漏洩をまったく生じさせないように路側無線装置を設置するのは困難であり、かつ費用がかさんでしまう。
ここで、図１０に示したように、路側無線装置Ｂから送信される電波（この電波が漏洩しているエリアをｇとする）が、路側無線装置Ａが設置されている車路の路側無線装置Ａよりも本線寄りの地点に漏れている場合を例示して説明する。
【００１１】
支線上りを走行している車両に搭載された車載器には、区別番号３が設定されている。この車両がジャンクションで本線下り方面へと向かうと、まず路側無線装置Ａの前を通過するため、本線下りの区別番号である２が車載器に設定される。この車両がさらに進むと、路側無線装置Ｂから送信された電波が漏洩しているエリアｇを通過するため、その電波を受信してしまう虞がある。漏洩電波を受信してしまった場合、その車載器の区別番号は４に再設定されてしまうため、この車両が路側無線装置Ｅからの区別番号２を対象としたコンテンツ情報を含むデータを受信しても、それを発話しないという問題が起こる。
【００１２】
本発明は、漏洩した電波を受信してもその漏洩電波の影響を受けない情報配信システム、車載器を提供することを目的とする。
【課題を解決するための手段】
【００１３】
請求項１に記載の発明は、上記目的を達成するためになされたものであり、情報配信システムにおいて、異なる区別番号が付された２本の道路間を接続する車路に設置され、前記区別番号と、区別番号変更指示情報とを含む第１配信情報を無線で送信する複数の第１の路側無線装置と、前記区別番号が付された道路に設置され、コンテンツ情報と、前記第１配信情報に基づいて当該コンテンツ情報を実行させる実行条件情報とを含む第２配信情報を無線で送信する複数の第２の路側無線装置と、前記第１の路側無線装置を介して前記第１配信情報を所定領域内に無線で送信させるとともに、前記第２の路側無線装置を介して前記第２配信情報を所定領域内に無線で送信させるセンター装置と、前記第１の路側無線装置から送信される第１配信情報及び前記第２の路側無線装置から送信される第２配信情報を受信する通信手段、前記通信手段により受信された第１配信情報及び第２配信情報を記憶する記憶手段、前記コンテンツ情報に応じた動作を実行する実行手段、前記通信手段により受信された第２配信情報に含まれている実行条件情報に基づいて、当該第２配信情報に含まれているコンテンツ情報に応じた動作の実行の可否を判別し、当該判別の結果に応じて前記コンテンツ情報を前記実行手段に実行させる制御手段、を備えた車載器と、を含み、前記区別番号は、次に通過する前記第２の路側無線装置が設置された道路を上りか下りか区別可能に識別するために予め設定された情報であり、一の第１の路側無線装置から送信される前記区別番号変更指示情報は、前記記憶手段に記憶された区別番号が、前記一の第１の路側無線装置が設置された車路の前に走行した道路を示す第１の区別番号であった場合に、当該区別番号を、前記一の第１の路側無線装置の次に通過する第２の路側無線装置が設置された道路を示す第２の区別番号に変更して前記記憶手段に記憶させるための情報であり、前記記憶手段は、前記記憶手段に記憶された区別番号と前記第１の区別番号とが一致する場合、前記記憶手段に記憶された区別番号を前記第２の区別番号に変更し、前記記憶手段に記憶された区別番号と前記第１の区別番号とが一致しない場合、前記記憶手段に記憶された区別番号を前記第２の区別番号に変更しないことを特徴とする。
【００１５】
請求項２に記載の発明は、請求項１に記載の情報配信システムにおいて、前記第２配信情報は、前記区別番号を含み、前記実行条件情報は、前記第２配信情報に含まれている区別番号と、当該第２配信情報よりも前に前記記憶手段に記憶された第１配信情報に含まれている区別番号とが一致する場合、当該第２配信情報に含まれているコンテンツ情報を前記実行手段に実行させる情報であることを特徴とする。
【００１６】
請求項３に記載の発明は、請求項１に記載の情報配信システムにおいて、前記第１配信情報は、当該第１配信情報に含まれる区別番号の有効期間を含み、前記第２配信情報は、前記区別番号を含み、前記実行条件情報は、前記第２配信情報に含まれている区別番号と、当該第２配信情報よりも前に前記記憶手段に記憶された第１配信情報に含まれている区別番号とが一致しており、かつ前記第１配信情報が前記記憶手段に記憶されてから前記有効期間を経過していない場合、前記第２配信情報に含まれているコンテンツ情報を前記実行手段に実行させる情報であり、前記制御手段は、前記第１配信情報が前記記憶手段に記憶されると、前記有効期間を計時することを特徴とする。
【００１７】
請求項４に記載の発明は、車載器において、異なる区別番号が付された２本の道路間を接続する車路に設置された複数の第１の路側無線装置から、前記区別番号と、区別番号変更指示情報とを含む第１配信情報を受信し、前記区別番号が付された道路に設置された複数の第２の路側無線装置から、コンテンツ情報と、前記第１配信情報に基づいて当該コンテンツ情報を実行させる実行条件情報とを含む第２配信情報を受信する通信手段と、前記通信手段により受信された第１配信情報及び第２配信情報を記憶する記憶手段と、前記コンテンツ情報に応じた動作を実行する実行手段と、前記通信手段により受信された第２配信情報に含まれている実行条件情報に基づいて、当該第２配信情報に含まれているコンテンツ情報に応じた動作の実行の可否を判別し、当該判別の結果に応じて前記コンテンツ情報を前記実行手段に実行させる制御手段と、を備え、一の第１の路側無線装置から送信される前記区別番号変更指示情報は、前記記憶手段に記憶された区別番号が、前記一の第１の路側無線装置が設置された車路の前に走行した道路を示す第１の区別番号であった場合に、当該区別番号を、前記一の第１の路側無線装置の次に通過する第２の路側無線装置が設置された道路を示す第２の区別番号に変更して前記記憶手段に記憶させるための情報であり、前記記憶手段は、前記記憶手段に記憶された区別番号と前記第１の区別番号とが一致する場合、前記記憶手段に記憶された区別番号を前記第２の区別番号に変更し、前記記憶手段に記憶された区別番号と前記第１の区別番号とが一致しない場合、前記記憶手段に記憶された区別番号を前記第２の区別番号に変更しないことを特徴とする。
【発明の効果】
【００１８】
本発明によれば、漏洩した電波を受信してもその漏洩電波の影響を受けない情報配信システム、車載器を提供することができる。
【図面の簡単な説明】
【００１９】
【図１】本実施形態に係る情報配信システム１００のシステム構成について示した図である。
【図２】図２（ａ）は、第１配信情報の例を示す図であり、図２（ｂ）は、第２配信情報を示す図である。
【図３】コンテンツ情報を含むデータの一例について示した図である。
【図４】センター装置３０及び路側無線装置２０の内部構成を示すブロック図である。
【図５】路側無線装置２０の通信可能範囲である路側エリアＺの説明図である。
【図６】車両Ｃに搭載される車載器１０の一構成例を示すブロック図である。
【図７】本実施形態に係る車載器１０内で行われるデータ実行処理の一例について示したフローチャートである。
【図８】一般道路（図示せず）の上に高架で建設された都市高速道路のジャンクションの一例について示した図である。
【図９】第１配信情報の例を示す図である。
【図１０】一般道路（図示せず）の上に高架で建設された都市高速道路のジャンクションの一例について示した図である。
【発明を実施するための形態】
【００２０】
以下、本発明の実施の形態を図面に基づいて説明する。
【００２１】
図１は、本実施形態に係る情報配信システム１００のシステム構成について示した図である。
図１に示すように、情報配信システム１００は、センター装置３０、路側無線装置２０、車両Ｃに搭載された車載器１０を含んで構成される。なお、図１では、１台のセンター装置３０のみ示しているが、センター装置３０はコンテンツを提供するサービス提供事業者毎に設けられる。
【００２２】
路側無線装置２０は、高速道路や一般道等の道路上や駐車場等に複数設置され、各路側無線装置２０はネットワークＮを介してセンター装置３０と接続されている。また、路側無線装置２０は、車載器１０と狭域通信（ＤＳＲＣ）により情報の送受信を行う。
すなわち、センター装置３０は、路側無線装置２０を介して車載器１０に第１配信情報及び／又は第２配信情報を含むデータコンテンツを提供することが可能となっている。そして、車載器１０は、提供されたコンテンツに再生処理を施し、このコンテンツに基づく音声をスピーカから出力したり、映像をディスプレイに表示したりする。以下、第１配信情報及び第２配信情報について図２に示す。
【００２３】
図２（ａ）は、第１配信情報の一例について示した図である。また、図２（ｂ）は、第２配信情報の一例について示した図である。
図２（ａ）に示すように、第１配信情報は、各路側無線装置２０が設置された道路を識別するために予め設定された区別番号と、当該区別番号の有効期間と、当該区別番号及び有効期間を車載器１０に記憶させる区別番号設定指示情報と、を含む情報である。
【００２４】
図２（ｂ）に示すように、第２配信情報は、コンテンツ情報と、区別番号と、実行条件情報と、を含む情報である。
コンテンツ情報は、ユーザに提供する読み上げ情報（ＴＴＳ情報）や音声情報を含む情報である。区別番号は、各路側無線装置２０が設置された道路を識別するために予め設定された番号である。実行条件情報は、第１配信情報に含まれる区別番号と第２配信情報に含まれる区別番号とに基づいてコンテンツ情報を実行させる条件が定められた情報である。
本実施形態に係る実行条件としては、コンテンツ情報に優先度を設けてその優先度に基づいて実行させる条件や、第２配信情報に含まれている区別番号と当該第２配信情報よりも前に車載器１０に記憶された第１配信情報に含まれている区別番号とが一致し、かつ第１配信情報が車載器１０に記憶されてから当該第１配信情報に含まれている有効期間を経過していない場合に、コンテンツ情報を実行させる条件等が挙げられる。
【００２５】
図３は、コンテンツ情報を含むデータの一例について示した図である。
図３に示すように、データは、音声読み上げ情報を始めとするコンテンツ情報としての発話情報Ｄ１の他、道路種別（例えば、高速道路、一般道、主要地方道・・・）や方位コード（上り、下り、内回り、外回り、情報なし・・・）等の現在位置情報を含んでいる。
【００２６】
コンテンツ情報には、その内容によって識別情報が付与されている。この識別情報は、内容によって情報を分類したときのその分類を示す情報である。分類の一例として、例えば、緊急メッセージ情報、安全運転支援情報、長文読み上げ情報、ローカル多目的情報、電子標識情報等が挙げられる。コンテンツ情報がその内容によって分類された場合、当該分類に応じて予め設定された識別情報が付与されることとなる。
【００２７】
また、コンテンツ情報には、ＴＴＳ（Text to Speech）から成る長文読み上げ情報が含まれる他、表示用テキスト情報が含まれることもある。ＴＴＳは音声合成用の情報であり、読み上げ情報を再生する場合には、ＴＴＳに基づいて表示用テキスト情報から音声情報を生成する処理が必要となる。
【００２８】
また、コンテンツ情報には、車両の交通に関連する事象を示す情報が含まれる。事象を示す情報としては、例えば、通行規制情報、災害規制情報、渋滞情報、気象情報、駐車場情報、ＳＡ（サービスエリア）・ＰＡ（パーキングエリア）情報、施設情報、経路案内情報、工事情報、路面情報、地震情報等が挙げられる。
【００２９】
また、コンテンツ情報は、実行する際の優先度によって、最優先情報、優先情報、選択可能情報に分類され、この情報を解析することにより、コンテンツ情報の優先度を判別することが可能である。優先度は、最優先情報、優先情報、選択可能情報の順に高くなる。最優先情報は、受信後すぐに再生するコンテンツ情報である。最優先情報としては、例えば、地震通知等の緊急メッセージ情報が挙げられる。優先情報は、受信後必ず再生するが、再生のタイミングを特に指定しないコンテンツ情報である。優先情報としては、例えば、事故等の注意警戒情報が挙げられる。選択可能情報は、再生するか否かをユーザが選択でき、その再生のタイミングについても特に指定がないコンテンツ情報である。選択可能情報としては、例えば、ハイウェイラジオのような情報等が挙げられる。
【００３０】
図４は、センター装置３０及び路側無線装置２０の内部構成を示すブロック図である。すなわち、センター装置３０及び路側無線装置２０は、図２に示す機能ブロックからなる処理装置（例えば、コンピュータ端末）を備えている。
【００３１】
図４に示すように、センター装置３０は、制御部３１、ネットワーク通信部３２、コンテンツ記憶部３３、を備えて構成される。
制御部３１は、ＣＰＵ（Central Processing Unit）３１１、ＲＯＭ（Read Only Memory）３１２、ＲＡＭ（Random Access Memory）３１３を備える。ＣＰＵ３１１は、ＲＡＭ３１３を作業領域として、ＲＯＭ３１２に記憶された制御プログラムを実行することにより、各種演算を行う他、ネットワーク通信部１２を制御する。
【００３２】
ネットワーク通信部３２は、ネットワークＮを介して路側無線装置２０にコンテンツを送信する。
コンテンツ記憶部３３は、例えば、ハードディスクで構成され、車載器１０に提供するためのコンテンツを記憶する。このコンテンツは、利用者に提供するテキスト情報、画像情報、音楽情報等を含んで構成され、その内容としては、例えば、店舗の広告や駐車場、医療施設の案内、クーポン等、様々なものが挙げられる。
【００３３】
路側無線装置２０は、制御部２１、ＤＳＲＣ通信部２２、ネットワーク通信部２３、を備えて構成される。
制御部２１は、ＣＰＵ２１１、ＲＯＭ２１２、ＲＡＭ２１３を備える。ＣＰＵ２１１は、ＲＡＭ２１３を作業領域として、ＲＯＭ２１２に記憶された制御プログラムを実行することにより、各種演算を行う他、ＤＳＲＣ通信部２２、ネットワーク通信部２３を制御する。
【００３４】
ＤＳＲＣ通信部２２は、ＤＳＲＣにより車両Ｃに搭載されている車載器１０にコンテンツを送信する。
ネットワーク通信部２３は、ネットワークＮを介してセンター装置３０からのコンテンツ情報等を受信する。
路側無線装置２０において、センター装置３０から送信されたコンテンツを受信すると、ＤＳＲＣ通信部２２はコンテンツを提供するためのＤＳＲＣ電波を常時発信する。路側無線装置２０と通信可能な範囲（路側エリア）を車両が通過した際に、この車両Ｃに搭載された車載器１０に対してコンテンツが配信されることとなる。
【００３５】
図５は、路側無線装置２０の通信可能範囲である路側エリアＺの説明図である。
図５に示すように、路側無線装置２０は、道路脇や道路上方に設置されたアンテナ２０ｂから到達距離が限定されたＤＳＲＣ電波を放射し、路側無線装置近傍に路側エリアＺを形成する。ここで、ＤＳＲＣとは、５．８ＧＨｚ帯の電波を使った狭域通信方式であり、その通信範囲は、例えば、数メートルから数十メートルとされる。
【００３６】
情報配信システム１００では、複数の路側無線装置２０が設置されるが、路側無線装置２０からのＤＳＲＣ電波の出力は何れも同じ程度に設定されるので、複数の路側無線装置２０がそれぞれ形成する路側エリアは設定場所に関係なく、ほぼ一定である。そして、路側無線装置２０は、それぞれの路側エリア内にある車両Ｃに搭載された車載器１０とだけ、双方向無線通信（路車間通信）が可能となる。
【００３７】
図６は、車両Ｃに搭載される車載器１０の一構成例を示すブロック図である。
図６に示すように、車載器１０は、制御部１１、記憶部１２、ＲＯＭ１３、ＲＡＭ１４、操作表示部１５、ＤＳＲＣ部１６、再生部１７、Ｉ／Ｏ部１８、を備えて構成されている。
【００３８】
制御部１１は、ＣＰＵ等から構成され、ＲＯＭ１３に記憶された制御プログラムや必要なパラメータ等をＲＡＭ１４に展開し、各種演算を行う他、各部の集中制御を行う。例えば、路側無線装置２０との路車間通信を行う際には、ＤＳＲＣ部１６の通信動作を制御する。なお、ＤＳＲＣ部１６の制御にあたっては、ＤＳＲＣ部１６のＤＳＲＣ制御部との協働により制御を行う。また、ＤＳＲＣ部１６を介してセンター装置３０から受信したデータの保存、実行制御等を行う。
【００３９】
本実施形態に係る制御部１１は、記憶部１２に記憶されたプログラムや必要なデータをＲＡＭ１４に展開し、第１配信情報が記憶部１２に記憶されると、当該第１配信情報に含まれる有効期間を計時し、ＤＳＲＣ部１６により受信された第２配信情報に含まれている実行条件情報に基づいて、当該第２配信情報に含まれているコンテンツ情報に応じた動作の実行の可否を判別し、当該判別の結果に応じてコンテンツ情報を再生部１７に実行させるデータ実行処理を制御する。
【００４０】
記憶部１２は、例えば、不揮発性のメモリから構成され、データ実行処理を実行させるためのプログラムや当該プログラムの実行に必要なパラメータ、路側無線装置２０を介してセンター装置３０から受信した第１配信情報及び／又は第２配信情報を含むデータを記憶し、当該データに含まれる区別番号を記憶する。
また、センター装置３０から配信されたコンテンツを記憶したり、このコンテンツを利用者に提示するために編成されたリストを記憶したりする。
【００４１】
ＲＯＭ１３は、制御部１１により実行される制御プログラム、当該制御プログラムの実行に必要なパラメータ等を記憶している。なお、ＲＯＭ１３は、読み出し専用の記憶装置であればよく、磁気的、光学的記憶媒体又は半導体メモリで構成されていてもよい。
【００４２】
ＲＡＭ１４は、制御部１１により制御実行される各種処理において、記憶部１２やＲＯＭ１３から読み出された各種プログラム、入力、若しくは出力データ及びパラメータなどの一時的な格納領域となる。
【００４３】
操作表示部１５は、ＬＥＤ（Light Emitting Diode）などの表示器と操作キー群から構成されている。操作表示部１５は、制御部１１から入力される表示信号に従って、表示器上に各種情報を表示したり、操作キー群から入力される操作信号を制御部１１に出力したりする。
【００４４】
ＤＳＲＣ部１６は、ＤＳＲＣ制御部１６ａ、通信部１６ｂ、記憶部１６ｃ等を備えて構成され、路側無線装置２０とＤＳＲＣにより通信するための処理を行い、通信手段として機能する。
【００４５】
ＤＳＲＣ制御部１６ａは、ＣＰＵ、ＲＡＭ等から構成され、記憶部１６ｃに記憶されている制御プログラム及び必要なデータをＲＡＭに展開し、ＤＳＲＣ部１６の各部の動作を制御する。例えば、通信部１６ｂにより、センター装置３０から路側無線装置２０を介して配信されたコンテンツを受信した場合には、これを制御部１１に転送する。
【００４６】
通信部１６ｂは、車両Ｃのダッシュボード上でフロントガラス近傍に固設されたアンテナを備え、このアンテナを介して路側無線装置２０等と、ＤＳＲＣによる通信を行う。
記憶部１６ｃは、例えば、不揮発メモリで構成され、ＤＳＲＣ制御部１６ａにより実行される制御プログラム及び必要なデータ等を記憶する。また、記憶部１６ｃは、車載器１０に付番される車載器ＩＤや、車載器１０を搭載する車両Ｃの車両情報等を記憶する。
車載器ＩＤは、製造時に個々の車載器に付番される車載器情報である。車両情報は、車載器１０を搭載する車両Ｃのナンバープレート情報や、車種情報（大型車両、中型車両、小型車両、身障者運転者両など）を含み、車両Ｃに車載器１０を搭載する際に登録される（セットアップ）。
【００４７】
再生部１７は、スピーカ１７ａ等を備え、第２配信情報に含まれているコンテンツ情報に応じた動作（例えば、音による再生）を実行する実行手段として機能する。
読み上げ情報の再生を行う場合、読み上げ情報は中間言語で記述されているので、再生部１７は、読み上げ情報を音声情報に変換して再生する読み上げ再生処理（ＴＴＳ（Text to Speech）処理）を行う。読み上げ再生処理では、読み上げ情報を解析して音声合成に必要なパラメータ（音声素片、音韻の継続時間長、ピッチ、振幅の時間変化パターン等）を生成する。そして、生成したパラメータを用いて音声波形を合成する。再生部１７は合成音声の信号をスピーカ１７ａにより出力し、音声による再生を行う。
【００４８】
Ｉ／Ｏ部１８は、外部装置との通信を行うインターフェースである。外部装置との通信制御は、制御部１１からの指示に従って行われる。例えば、Ｉ／Ｏ部１８を介して接続された外部装置に、コンテンツ情報や各種プログラム等のデータの入出力を行うことができる。
【００４９】
上述したように、本実施形態の車載器１０は、道路上に設置された複数の路側無線装置２０から送信される当該路側無線装置２０が設置された道路を識別するために予め設定された区別番号を含む第１配信情報及びコンテンツ情報と当該第１配信情報に基づいて当該コンテンツ情報を実行させる実行条件情報とを含む第２配信情報を受信する通信手段（ＤＳＲＣ部１６）と、ＤＳＲＣ部１６により受信された第１配信情報及び第２配信情報を記憶する（記憶部１２）と、コンテンツ情報に応じた動作を実行する実行手段（再生部１７）と、ＤＳＲＣ部１６により受信された第２配信情報に含まれている実行条件情報に基づいて、当該第２配信情報に含まれているコンテンツ情報に応じた動作の実行の可否を判別し、当該判別の結果に応じてコンテンツ情報を再生部１７に実行させる制御手段（制御部１１）と、を備える。
【００５０】
図７は、本実施形態に係る車載器１０内で行われるデータ実行処理の一例について示したフローチャートである。このデータ実行処理は、車載器１０に電力が供給されている間、実行される処理とする。
【００５１】
図７に示すように、制御部１１は、ＤＳＲＣ部１６により第１配信情報及び／又は第２配信情報を含むデータを受信したか否かを判別し（ステップＳ１）、データを受信していない場合（ステップＳ１；Ｎｏ）は、ステップＳ１に戻る。なお、ステップＳ１；Ｎｏの場合に、計時している有効期間が経過したか否かを判別し、有効期間を経過した場合には記憶部１２に記憶されている区分番号及び有効期間を初期化、すなわち未設定状態にし、ステップＳ１に戻るようにしてもよい。
【００５２】
制御部１１は、データを受信した場合（ステップＳ１；Ｙｅｓ）は、受信したデータに、即時に実行される高優先情報があるか否かを判別する（ステップＳ２）。例えば、受信したデータに含まれるコンテンツ情報の識別情報が緊急度の高い緊急メッセージ情報である場合、又はコンテンツ情報の優先度が最優先情報である場合には、受信したデータに高優先情報があると判別する。
【００５３】
制御部１１は、受信したデータに高優先情報がある場合（ステップＳ２；Ｙｅｓ）は、再生部１７により高優先情報を実行させ（ステップＳ３）、高優先情報がない場合（ステップＳ２；Ｎｏ）又はステップＳ３の後、受信したデータに高優先情報を除くコンテンツ情報があるか否か、すなわち、受信したデータは、コンテンツ情報、区分番号、実行条件情報を含む第２配信情報を含むか否かを判別する（ステップＳ４）。
【００５４】
制御部１１は、受信したデータに高優先情報を除くコンテンツ情報がある、すなわち、受信したデータが第２配信情報を含む場合（ステップＳ４；Ｙｅｓ）は、当該受信したデータに含まれている実行条件情報に基づいて、当該受信したデータに含まれている区別番号と当該データが受信される前に記憶部１２に記憶されている区別番号とが一致するか否かを判別する（ステップＳ５）。
【００５５】
制御部１１は、受信したデータに含まれている区別番号と当該データが受信される前に記憶部１２に記憶されている区別番号とが一致する場合（ステップＳ５；Ｙｅｓ）は、当該データが受信される前に記憶部１２に記憶された区別番号が記憶されたときから、当該区別番号と共に含まれている有効期間が経過しているか否かを判別する（ステップＳ６）。
【００５６】
制御部１１は、有効期間を経過している場合（ステップＳ６；Ｙｅｓ）は、記憶部１２に記憶されている区分番号及び有効期間を初期化、すなわち未設定状態にし（ステップＳ７）、有効期間を経過していない場合（ステップＳ６；Ｎｏ）は、再生部１７により受信したデータに含まれる高優先情報を除くコンテンツ情報の実行処理（例えば、ＴＴＳ処理）を実行させる（ステップＳ８）。
【００５７】
制御部１１は、受信したデータに高優先情報を除くコンテンツ情報がない場合（ステップＳ４；Ｎｏ）、受信したデータに含まれている区別番号と当該データが受信される前に記憶部１２に記憶されている区別番号とが一致しない場合（ステップＳ５；Ｎｏ）、ステップＳ７、ステップＳ８、のいずれかのステップの後、受信したデータに区別番号設定指示があるか否かを判別する（ステップＳ９）。
【００５８】
制御部１１は、受信したデータに区別番号設定指示がある、すなわち、第１配信情報が含まれている場合（ステップＳ９；Ｙｅｓ）は、受信したデータに含まれている区別番号及び有効期間を記憶部１２に記憶させて設定し（ステップＳ１０）、有効期間の計時を開始する（ステップＳ１１）。受信したデータに区別番号設定指示がない、すなわち、第１配信情報が含まれていない場合（ステップＳ９；Ｎｏ）又はステップＳ１１の後、本処理を終了する。
【００５９】
図８は、一般道路（図示せず）の上に高架で建設された都市高速道路のジャンクションの一例について示した図である。
図８の上部を左右に通過している車路が本線であり、上り線には区別番号１が、下り線には区別番号２が、それぞれ与えられている。上記した本線から図８の下方へ伸びている車路が支線であり、上り線には区別番号３が、下り線には区別番号４が、それぞれ与えられている。
【００６０】
図８に示すように、新たな区別番号を設定するためのデータを送信する路側無線装置は、Ａ〜Ｄの４箇所に設置されている。
路側無線装置からは、車載器に設定されている区別番号を再設定するための情報（以下設定情報）、又は／及びコンテンツとそのコンテンツを実行する対象となる車載器を指定するための区別番号やその他の実行条件等を含む情報（以下コンテンツ情報）、が送信される。
【００６１】
路側無線装置Ａは、高速道路の支線上りから本線下りへと向かう車路に設置されており、区別番号２を設定するための設定情報を含むデータを送信する。路側無線装置Ｂは、高速道路の本線上りから支線下りへと向かう車路に設置されており、区別番号４を設定するための設定情報を含むデータを送信する。路側無線装置Ｃは、高速道路の支線上りから本線上りへと向かう車路に設置されており、区別番号１を設定するための設定情報を含むデータを送信する。路側無線装置Ｄは、高速道路の本線下りから支線下りへと向かう車路に設置されており、区別番号４を設定するための設定情報を含むデータを送信する。なお、設定情報に含まれる有効期間は、無限大に設定されているものとする。
【００６２】
路側無線装置Ｅは、高速道路の本線下りの車路に設置されており、区別番号２が設定された車載器にコンテンツを実行させるための情報を含むコンテンツ情報を含んだデータを送信する。
例えば、高速道路の本線下りを走行中の車両に搭載された車載器には区別番号２が設定されており、路側無線装置Ｅからデータを受信すると、コンテンツを実行する。また、支線上りを走行中の車両に搭載された車載器には区別番号３が設定されているが、この車両が支線上りから本線下りへと向かう車路を走行すると、路側無線装置Ａから送信される区別番号２の設定情報を受信するため、車載器に設定される区別番号は３から２に変更される。つまり、この車両が路側無線装置Ｅの前を通過すると、路側無線装置Ｅから送信される区別番号２のコンテンツ情報を含むデータを受信し、コンテンツを実行する。
一方、高速道路の本線上りを走行中の車両に搭載された車載器には区別番号１が設定されており、路側無線装置Ｅから送信され本線上りに漏洩している電波ｆを受信したとしても区別番号が一致しないため、コンテンツは実行されない。
【００６３】
ここで、図８に示したように、路側無線装置Ｂから送信される電波（この電波が漏洩しているエリアをｇとする）が、路側無線装置Ａが設置されている車路の路側無線装置Ａよりも本線寄りの地点に漏れている場合を例示して説明する。
【００６４】
支線上りを走行している車両に搭載された車載器には、区別番号３が設定されている。この車両がジャンクションで本線下り方面へと向かうと、まず路側無線装置Ａの前を通過するため、本線下りの区別番号である２が車載器に設定される。この車両がさらに進むと、路側無線装置Ｂから送信された電波が漏洩しているエリアｇを通過するため、その電波を受信してしまう虞がある。漏洩電波を受信してしまった場合、その車載器の区別番号は４に再設定されてしまうため、この車両が路側無線装置Ｅからの区別番号２を対象としたコンテンツ情報を含むデータを受信しても、それを発話しないという問題が起こる。
【００６５】
そこで、本実施形態では、図９に示すように、路側無線装置から送信される第１配信情報に、新たに「現在の区別番号が○であれば△に変更する」という情報（区別番号変更指示情報）を追加する。
例えば、図８において、路側無線装置Ｂから送信された第１配信情報に、新たに「現在の区別番号が１であれば４に変更する」という情報を追加して送信するようにすると、支線上りから本線下りへと向かう車両に搭載された車載器が路側無線装置Ｂからの漏洩電波を受信しても、この車載器の区別番号は２（直前に通過した路側無線装置Ａから送信された情報により、区別番号が３から２に書き換えられている）であり、１ではないので、ここで区別番号が４に変更されることはない。
【００６６】
従って、区別番号を変更する情報を送信する路側無線装置を設置する際、他の車線への電波の漏洩があっても問題が発生しないので、路側無線装置を設置する際の自由度が増える。
【００６７】
以上、本発明に係る実施形態に基づいて具体的に説明したが、本発明は上記実施形態に限定されるものではなく、その要旨を逸脱しない範囲で変更可能である。
【００６８】
例えば、電波が漏洩する心配のない路側無線装置からは、これまで通りすべての車載器を対象として区別番号を変更する情報を送信するようにしてもよい。この場合、例えば区別番号２５５を、すべての区別番号を意味する値として用いることにして特定の道路に付与しないようにし、例えば「現在の区別番号が２５５であれば３に変更する」といった情報を送信することも可能である。
【００６９】
また、上記実施形態では、発話型車載器を例示して発明を適用しているが、発明の範囲は図示例に限定されず、センター装置から路側無線装置を介して車載器と通信を行うＩＴＳ（Intelligent Transport Systems）車載器において、ナビゲーション機能を有した機器と接続し、音声情報の他に画像情報、テキスト情報等を含んだ車載器にも適用される。すなわち、ＧＰＳや地図を持つＤＳＲＣ車載器（カーナビ等）に適用してもよい。
【００７０】
その他、情報配信システム１００を構成する各装置の細部構成及び細部動作に関しても、本発明の趣旨を逸脱することのない範囲で適宜変更可能である。
【符号の説明】
【００７１】
１００  情報配信システム
１０  車載器
１１  制御部
１２  記憶部
１３  ＲＯＭ
１４  ＲＡＭ
１５  操作表示部
１６  ＤＳＲＣ部
１６ａ  ＤＳＲＣ制御部
１６ｂ  通信部
１６ｃ  記憶部
１７  再生部
１７ａ  スピーカ
１８  Ｉ／Ｏ部
２０  路側無線装置
２０ａ  本体装置
２０ｂ  アンテナ
２１  制御部
２１１  ＣＰＵ
２１２  ＲＯＭ
２１３  ＲＡＭ
２２  ＤＳＲＣ通信部
２３  ネットワーク通信部
３０  センター装置
３１  制御部
３１１  ＣＰＵ
３１２  ＲＯＭ
３１３  ＲＡＭ
【図１】
0005387160.tif 000002
【図２】
0005387160.tif 000003
【図３】
0005387160.tif 000004
【図４】
0005387160.tif 000005
【図５】
0005387160.tif 000006
【図６】
0005387160.tif 000007
【図７】
0005387160.tif 000008
【図８】
0005387160.tif 000009
【図９】
0005387160.tif 000010
【図１０】
0005387160.tif 000011